(57)【要約】【課題】  カード型装置が挿入後短時間で抜かれても、車載装置本体とカード型装置との電気的接続が強制的に遮断される場合を回避することができる車載装置及びその制御方法を提供する。【解決手段】  カード挿入口を有し、カード挿入口に挿入されたカード型装置と電気的に接続する車載装置本体と、この車載装置本体に設けられたカード挿入口を露出自在に開閉する表示装置とを備える車載装置において、カード型装置のカード挿入口への挿入時には、車載装置本体とカード型装置とを電気的に非接続状態にし、表示装置が閉動作を開始した後に、車載装置本体とカード型装置とを電気的に接続状態にするようにした。【選択図】      図５
2006088738.tif 000002
【特許請求の範囲】
【請求項１】
カード挿入口を有し、カード挿入口に挿入されたカード型装置と電気的に接続する車載装置本体と、この車載装置本体に設けられたカード挿入口を露出自在に開閉する表示装置とを備える車載装置において、
カード型装置のカード挿入口への挿入時には、車載装置本体とカード型装置とを電気的に非接続状態にし、前記表示装置が閉動作を開始した後に、車載装置本体とカード型装置とを電気的に接続状態にする接続制御手段を備えることを特徴とする車載装置。
【請求項２】
カード挿入口を有し、カード挿入口に挿入されたカード型装置と電気的に接続する車載装置本体と、この車載装置本体に設けられたカード挿入口を露出自在に開閉する表示装置とを備える車載装置において、
カード型装置のカード挿入口への挿入時には、車載装置本体とカード型装置とを電気的に接続状態にして前記カード型装置の認識／識別処理を開始し、この認識／識別処理の終了後、車載装置本体とカード型装置とを電気的に非接続状態にし、前記表示装置が閉動作を開始した後に、車載装置本体とカード型装置とを再び電気的に接続状態にする接続制御手段を備えることを特徴とする車載装置。
【請求項３】
前記接続制御手段は、前記表示装置が閉動作を開始した後に、車載装置本体とカード型装置とを電気的に接続状態にして、前記カード型装置の認識／識別処理を開始することを特徴とする請求項１記載の車載装置。
【請求項４】
前記接続制御手段は、前記カード型装置の認識／識別処理で認識／識別に失敗した場合、前記表示装置の閉動作を禁止させることを特徴とする請求項２記載の車載装置。
【請求項５】
カード挿入口を有し、カード挿入口に挿入されたカード型装置と電気的に接続する車載装置本体と、この車載装置本体に設けられたカード挿入口を露出自在に開閉する表示装置とを備える車載装置の制御方法において、
カード型装置のカード挿入口への挿入時には、車載装置本体とカード型装置とを電気的に非接続状態にし、前記表示装置が閉動作を開始した後に、車載装置本体とカード型装置とを電気的に接続状態にすることを特徴とする車載装置の制御方法。
【請求項６】
カード挿入口を有し、カード挿入口に挿入されたカード型装置と電気的に接続する車載装置本体と、この車載装置本体に設けられたカード挿入口を露出自在に開閉する表示装置とを備える車載装置の制御方法において、
カード型装置のカード挿入口への挿入時には、車載装置本体とカード型装置とを電気的に接続状態にして前記カード型装置の認識／識別処理を開始し、この認識／識別処理の終了後、車載装置本体とカード型装置とを電気的に非接続状態にし、前記表示装置が閉動作を開始した後に、車載装置本体とカード型装置とを再び電気的に接続状態にすることを特徴とする車載装置の制御方法。
【発明の詳細な説明】
【技術分野】
【０００１】
本発明は、カード型装置を挿入するカード挿入口を有する車載装置及びその制御方法に関し、特に、車載装置本体とカード型装置との電気的接続を制御する技術に関する。
【背景技術】
【０００２】
カーナビゲーション装置やカーオーディオ装置等の車載装置においては、カード型の通信装置等を挿入するカード挿入口や、カード型記録媒体を挿入するカード挿入口を備えたものがある。この種の車載装置には、開閉自在に連結された表示パネル（表示装置）を備え、カード型装置を挿入する際には、この表示パネルを開けてカード挿入口を露出させるように構成したものが知られている（例えば、特許文献１参照）。
【特許文献１】特開２００３−３１７４５７号公報
【発明の開示】
【発明が解決しようとする課題】
【０００３】
しかし、従来の構成では、カード型装置が挿入されると、すぐにカード型装置に電力を供給して車載装置本体とカード型装置とをバス接続するため、ユーザにより、挿入したカード型装置がすぐに抜かれると、カード型装置に記録されたデータの読み取り中にカード型装置への電力供給が強制的に遮断されてしまう。
また、カード型装置がＨＤＤ装置を有する場合にも、従来の構成では、カード型装置が挿入されると、すぐにカード型装置に電力を供給してＨＤＤ装置を駆動させるため、ユーザにより、挿入したカード型装置が直ぐに抜かれると、ＨＤＤ装置の駆動中に電力が強制的に遮断されてしまう。
【０００４】
本発明は、上述した事情に鑑みてなされたものであり、カード型装置が挿入後短時間で抜かれても、車載装置本体とカード型装置との電気的接続が強制的に遮断される場合を回避することができる車載装置及びその制御方法を提供することを目的としている。
【課題を解決するための手段】
【０００５】
上述課題を解決するため、本発明は、カード挿入口を有し、カード挿入口に挿入されたカード型装置と電気的に接続する車載装置本体と、この車載装置本体に設けられたカード挿入口を露出自在に開閉する表示装置とを備える車載装置において、カード型装置のカード挿入口への挿入時には、車載装置本体とカード型装置とを電気的に非接続状態にし、前記表示装置が閉動作を開始した後に、車載装置本体とカード型装置とを電気的に接続状態にする接続制御手段を備えることを特徴とする。
【０００６】
また、本発明は、カード挿入口を有し、カード挿入口に挿入されたカード型装置と電気的に接続する車載装置本体と、この車載装置本体に設けられたカード挿入口を露出自在に開閉する表示装置とを備える車載装置において、カード型装置のカード挿入口への挿入時には、車載装置本体とカード型装置とを電気的に接続状態にして前記カード型装置の認識／識別処理を開始し、この認識／識別処理の終了後、車載装置本体とカード型装置とを電気的に非接続状態にし、前記表示装置が閉動作を開始した後に、車載装置本体とカード型装置とを再び電気的に接続状態にする接続制御手段を備えることを特徴とする。
【０００７】
また、本発明は、上記構成において、前記接続制御手段は、前記表示装置が閉動作を開始した後に、車載装置本体とカード型装置とを電気的に接続状態にして、前記カード型装置の認識／識別処理を開始することを特徴とする。
また、本発明は、前記接続制御手段は、前記カード型装置の認識／識別処理で認識／識別に失敗した場合、前記表示装置の閉動作を禁止させることを特徴とする。
【０００８】
また、本発明は、カード挿入口を有し、カード挿入口に挿入されたカード型装置と電気的に接続する車載装置本体と、この車載装置本体に設けられたカード挿入口を露出自在に開閉する表示装置とを備える車載装置の制御方法において、
カード型装置のカード挿入口への挿入時には、車載装置本体とカード型装置とを電気的に非接続状態にし、前記表示装置が閉動作を開始した後に、車載装置本体とカード型装置とを電気的に接続状態にすることを特徴とする。
【発明の効果】
【０００９】
本発明によれば、カード型装置のカード挿入口への挿入時には、車載装置本体とカード型装置とを電気的に非接続状態にし、表示装置が閉動作を開始した後に、車載装置本体とカード型装置とを電気的に接続状態にするため、カード型装置が挿入後、短時間で抜かれても、車載装置本体とカード型装置との電気的接続が強制的に遮断されることがない。また、表示装置が閉動作を開始するまででは、車載装置本体とカード型装置とが電気的に非接続状態であるため、カード型装置が挿入されるとすぐに電力を供給する従来の車載装置に比して、省電力化を図ることができる。
【発明を実施するための最良の形態】
【００１０】
＜第１実施形態＞
以下、図面を参照しつつ本発明の実施の形態について説明する。
図１は本実施形態に係る車載装置１の外観構成を示す斜視図である。この車載装置１は、車両に搭載され、ＣＤ（Compact Disc）、ＤＶＤ(Digital Versatile Disk)及びカード型装置に記録された音声や映像のデータを再生する機能やナビゲーション機能を備え、図１に示すように、車両のインストルメントパネルに設けられた収納スペースに収容される装置本体（車載装置本体）１０と、この装置本体１０の正面に設けられた表示装置１１とを備えている。
【００１１】
この表示装置１１は、タッチパネルが配置された液晶表示パネル１２と、この液晶表示パネル１２が嵌め込まれた筐体１３と、この筐体１３に設けられた操作スイッチ１４Ａ、１４Ｂとを備えて構成されている。
この表示装置１１の側面上部には、図２に示すように、突起１５が設けられ、この突起１５は、装置本体１０の側壁１６に形成されたガイド溝１７に嵌って上下方向に移動自在に係合すると共に、表示装置１１の側面下部には、ピン１８を介して押出機構１９が連結され、この押出機構１９は、モータ３８（図４）の駆動力を利用してピン１８を介して表示装置１１の下部を水平方向に押し出し、これらによって、図３に示すように、表示装置１１は装置本体１０に対して開閉する。この場合、ガイド溝１７と押出機構１９とで表示装置１１の開閉機構が構成されている。
【００１２】
この表示装置１１の開閉指示は、表示装置１１の筐体１３に設けられた操作スイッチ１４Ａ，１４Ｂの操作によって行われる。具体的には、例えば、図３の状態で、一方の操作スイッチ（クローズキー）１４Ａが押下操作されると、押出機構１９が表示装置１１の下部を装置本体１０側（図中右方向）に移動させ、これに伴って表示装置１１の上部が突起１５を介してガイド溝１７の上方向に案内され、図１に示すように、表示装置１１が装置本体１０の前面を塞ぐ位置（閉位置）に移動する。
【００１３】
他方の操作スイッチ（オープンキー）１４Ｂが押下操作されると、押出機構１９が表示装置１１の下部を、操作スイッチ１４Ａの操作時と逆側（図中左方向）に移動し、この移動に伴って表示装置１１の上部が突起を介してガイド溝１７の下方向に案内され、図３に示すように、表示装置１１が装置本体１０の前面を露出させる位置（開位置）に移動する。
さらに、この表示装置１１の開閉指示は、操作スイッチ１４Ａ，１４Ｂの操作だけでなく、表示装置１１のタッチパネルのタッチ操作によっても可能であり、具体的には、表示装置１１に開閉指示用のアイコンが表示されている場合に、そのアイコンの表示領域がタッチパネルを介して押下操作された場合に表示装置１１が開閉する。
【００１４】
装置本体１０の前面１０Ａには、図３に示すように、ＰＣ（PCMCIA）カード、ＣＦ（CompactFlash）、マイクロドライブ、モバイルディスク等のカード型装置５が挿入されるカード挿入口２１、このカード挿入口２１からカード型装置５を排出するための排出ボタン２２、ＣＤ或いはＤＶＤ等のディスク状記録媒体が挿入されるディスク挿入口２３、及び、ディスク挿入口２３からディスク型記録媒体を排出するための排出ボタン２４などが設けられている。これらの挿入口２１、２３は、図１に示すように、表示装置１１が閉状態の場合は表示装置１１の裏に隠れており、図３に示すように、表示装置１１を開くと外部に露出し、挿入口２１、２３にアクセス可能となる。
【００１５】
図４は、車載装置１の主要構成を示すブロック図である。
車載装置１は、ＭＰＵ（接続制御手段）３０を備え、このＭＰＵ３０は、車載装置１の各部を中枢的に制御するものであり、このＭＰＵ３０には、カードインターフェース（カードＩ／Ｆ）３１を介してカードスロット３２が接続されている。このカードスロット３２は、カード挿入口２１を有し、このカード挿入口２１を介してＰＣＭＣＩＡ規格に準拠したＴＹＰＥI又はIIに準ずるカード型装置５が装填される。
カードスロット３２に装填されたカード型装置５は、カードＩ／Ｆ３１を介してＭＰＵ３０によりアクセスされ、ＭＰＵ３０は、カード型装置５に記録された各種データ（音楽データ等）の読み取りや、カード型装置５へのデータの書き込みを行う。なお、カード型装置５に書き込むデータは、例えば、ＣＤから読み出した音楽データに所定の圧縮処理を施した圧縮音声データ等である。
【００１６】
また、ＭＰＵ３０には、カード型装置５から読み出したデータや書き込むデータ等を一時的に格納するＲＡＭ３３が接続されると共に、サブＭＰＵ３４が接続される。サブＭＰＵ３４は、制御用プログラム等の各種データを記憶するＲＯＭ、データを一時的に格納するＲＡＭ、ＲＯＭに記憶されたプログラムやデータに基づいて各種制御を行うＣＰＵを有し、ＭＰＵ３０の制御の下、表示装置１１の表示制御等を行う。
【００１７】
また、このサブＭＰＵ３４には、カードスロット３２にカード型装置５が挿入されたことを検出する挿入検出スイッチ（挿入検知手段）３５と、ユーザインターフェースとして機能する操作部３６とが接続され、サブＭＰＵ３４は、これら挿入検出スイッチ３５の状態及び操作部３６の操作を示す情報をＭＰＵ３０に通知する。操作部３６は、表示装置１１の開閉を指示する操作スイッチ（クローズキー、オープンキー）１４Ａ、１４Ｂや表示装置１１のタッチパネルを含み、サブＭＰＵ３４は、これら操作スイッチやタッチパネルの所定領域（開閉指示用アイコンの表示領域）が操作されると、当該サブＭＰＵ３４に接続されたモータドライバ３７の制御を行う。
このモータドライバ３７は、サブＭＰＵ３４の制御の下、表示装置１１の駆動手段として機能するモータ３８の駆動信号を生成してモータ３８に出力し、モータ３８は、この駆動信号に基づき正転駆動或いは逆転駆動し、表示装置１１を開閉する。
【００１８】
この車載装置１においては、カード挿入口２１にカード型装置５を挿入する場合、ユーザにより操作スイッチ１４Ｂ等を介してサブＭＰＵ３４に開指示が入力され、サブＭＰＵ３４が、この開指示に基づいてモータドライバ３７によりモータ３８を駆動させ、表示装置１１を、カード挿入口２１が露出する位置（図３）まで開かせ、これによって、カード挿入口２１にカード型装置５を挿入可能となる。
【００１９】
ところで、カード型装置５が挿入され、すぐにカード型装置５に電力を供給して装置本体１０とカード型装置５とを電気的に接続すると、カード型装置５が挿入後すぐに抜かれた場合、カード型装置５への電力供給が強制的に遮断され、好ましくない。そこで、本実施形態では、カード型装置５がカード挿入口２１に挿入された場合に、装置本体１０とカード型装置５との電気的接続を所定期間禁止する接続制御処理を実行する。
【００２０】
図５は、この接続制御処理を示すフローチャートである。なお、前提として、表示装置１１がカード挿入口２１が露出する位置まで開いているものとする。
まず、ＭＰＵ３０は、サブＭＰＵ３４を介して挿入検出スイッチ３５の状態を取得し、カード型装置５が挿入されているか否かを判定し、カード型装置５が挿入されていない場合は（ステップＳ１：ＮＯ）処理を終了する。なお、この処理を終了しても、ＭＰＵ３０は、表示装置１１が開いた状態が継続する限り、この接続制御処理を繰り返し実行し、実質的にカード型装置５が挿入されたか否かを継続的に判定するようになっている。
【００２１】
一方、カード型装置５が挿入された場合（ステップＳ１：ＹＥＳ）、ＭＰＵ３０は、挿入検出スイッチ３５の状態に基づいてカード型装置５が抜かれたか否かを判定し（ステップＳ２）、カード型装置５が抜かれた場合（ステップＳ２：ＹＥＳ）、この処理を終了する。このようにカード型装置５が挿入後すぐに抜かれても、カード型装置５は電気的に非接続の状態にあるため、装置本体１０とカード型装置５との電気的接続が強制的に遮断されることがない。
【００２２】
カード型装置５が抜かれていない場合（ステップＳ２：ＮＯ）、ＭＰＵ３０は、表示装置１１の閉指示を入力したか否か（クローズキーに相当する操作スイッチ１４Ａが操作されたか否か等）を判定し（ステップＳ３）、閉指示を入力していない場合（ステップＳ３：ＮＯ）、ステップＳ２の処理に移行する。従って、ＭＰＵ３０は、カード型装置５が抜かれるか（ステップＳ２：ＹＥＳ）、表示装置１１の閉指示が入力されるか（ステップＳ３：ＹＥＳ）のいずれかの条件が満足するまで待機し、カード型装置５と電気的に非接続の状態に維持する。このため、カード型装置５が抜かれても、装置本体１０とカード型装置５との電気的接続が強制的に遮断されることがない。
【００２３】
一方、表示装置１１の閉指示を入力した場合（ステップＳ３：ＹＥＳ）、ＭＰＵ３０は、サブＭＰＵ３４を介してモータドライバ３７によりモータ３８を駆動させて表示装置１１の閉制御を開始する（ステップＳ４）。表示装置１１の閉制御を開始した後、ＭＰＵ３０は、カードＩ／Ｆ３１を介してカードスロット３２に装填されているカード型装置５に電力を供給し、カード型装置５と電気的に接続する（ステップＳ５）。より具体的には、ＭＰＵ３０は、カード型装置５に電力を供給して電気的に接続した状態にして、カード型装置５の認識／識別処理を行い、カード型装置５の認識／識別ができたことを条件に、装置本体１０とカード型装置５とをバス接続した状態に維持する。
このように装置本体１０とカード型装置５とをバス接続することにより、ＭＰＵ３０は、カード型装置５に記録された圧縮音楽データの再生が指示された場合にカード型装置５に記録されたデータを読み出して再生処理を行い、また、カード型装置５へのデータ記録が指示された場合に記録対象のデータをカード型装置５へ書き込む処理を行う。
【００２４】
但し、ステップＳ５の処理において、カード型装置５の認識／識別が失敗した場合、ＭＰＵ３０は、カード型装置５の取り出しをユーザに促すべく、その旨を表示装置１１に表示させる表示処理、その旨を示す報知音を放音させる放音処理、表示装置１１を開駆動させて開いた状態、つまり、カード型装置５を取り出し易くするための開駆動処理等の各種報知処理を適宜実行する。従って、カード型装置５が車載装置１に対応したものでない場合、或いは、故障している場合には、装置本体１０とカード型装置５とは電気的に非接続の状態に維持される。
【００２５】
以上説明したように、本実施形態の車載装置１によれば、カード型装置５がカード挿入口２１に挿入されても表示装置１１が閉動作を開始するまでは、装置本体１０とカード型装置５とを電気的に非接続の状態に維持するため、カード型装置５が挿入後、短時間で抜かれても、装置本体１０とカード型装置５との電気的接続が強制的に遮断されることがない。
この場合、表示装置１１の閉動作は、ユーザが表示装置１１の閉指示を行うことを条件に開始されるため、ユーザが、挿入したカード型装置５を誤ってないか否かを確認し、誤っていないことを認識して表示装置１１の閉指示を行った後に、装置本体１０とカード型装置５とを電気的に接続させることができる。このため、ユーザがカード型装置５を抜く可能性が低くなった時点から、迅速に装置本体１０とカード型装置５とを電気的に接続した状態にすることができる。
【００２６】
また、本実施形態では、表示装置１１が閉動作を開始した後に、カード型装置５の認識／識別処理を開始するため、表示装置１１がほぼ完全に閉まるまでにカード型装置５の認識／識別処理を終了させることができる。実際の使用上、この車載装置１は、表示装置１１をほぼ閉じた状態で、カード型装置５に記録された圧縮音楽データの再生指示等が行われるため、実際の使用形態では各指示に応じてすぐにカード型装置５にアクセスすることができる。
さらに、本実施形態では、表示装置１１が閉動作を開始するまでは、カード型装置５への電力供給を行わないため、カード型装置５が挿入されるとすぐに電力を供給する従来の車載装置に比して、省電力化を図ることができる。
【００２７】
＜第２実施形態＞
次に、本発明の第２実施形態について説明する。本実施形態に係る車載装置は、カード型装置５が挿入されると短時間だけカード型装置５と電気的に接続する点が、第１実施形態に係る車載装置１と相違する。それ以外の構成については、第１実施形態に係る車載装置１とほぼ同様であるため、同様の構成については同一の符号を付して詳細な説明を省略し、異なる部分を詳細に説明する。
【００２８】
図６は、接続制御処理を示すフローチャートである。
まず、ＭＰＵ３０は、サブＭＰＵ３４を介して挿入検出スイッチ（挿入検出手段）３５の状態を取得し、カード型装置５が挿入されているか否かを判定し、カード型装置５が挿入されていない場合は（ステップＳ１Ａ：ＮＯ）、処理を終了する。
【００２９】
一方、カード型装置５が挿入された場合（ステップＳ１Ａ：ＹＥＳ）、ＭＰＵ３０は、カードＩ／Ｆ３１を介してカード型装置５にアクセスし、カード型装置５から得た情報（カード情報）に基づいてカード型装置５の認識／識別処理を開始し（ステップＳ２Ａ）、カード型装置５の認識／識別の結果に応じて以下の処理を実行する。
すなわち、カード型装置５の認識／識別に失敗した場合（ステップＳ３：ＮＯ）、ＭＰＵ３０は、カード型装置５への電力供給を遮断してカード型装置５とのバス接続を解除すると共に、表示装置１１の閉指示の受け付けを禁止する（ステップＳ４Ａ）。従って、カード型装置５が車載装置１に対応したものでない場合、或いは、故障している場合には、装置本体１０とカード型装置５とは電気的に非接続の状態に維持されると共に、表示装置１１の閉駆動が禁止される。なお、この場合、カード型装置５の取り出しをユーザに促すべく、その旨を表示装置１１に表示させる表示処理、その旨を示す報知音を放音させる放音処理等の各種報知処理を適宜実行するようにしてもよい。
【００３０】
これに対し、カード型装置５の認識／識別に成功した場合（ステップＳ３：ＹＥＳ）、ＭＰＵ３０は、カード型装置５から得たカード情報をＲＡＭ３３に保持した後（ステップＳ５Ａ）、カード型装置５への電力供給を遮断し、装置本体１０とカード型装置５とのバス接続を解除する（ステップＳ６Ａ）。
【００３１】
次いで、ＭＰＵ３０は、挿入検出スイッチ３５の状態に基づいてカード型装置５が抜かれたか否かを判定し（ステップＳ７Ａ）、カード型装置５が抜かれた場合（ステップＳ７Ａ：ＹＥＳ）、ＲＡＭ３３に保持したカード情報を破棄した後（ステップＳ８Ａ）、この処理を終了する。この場合、カード型装置５の認識／識別処理後は、カード型装置１が電気的に非接続の状態にあるため、カード型装置５が抜かれても、装置本体１０とカード型装置５との電気的接続が強制的に遮断されることがない。
【００３２】
一方、カード型装置５が抜かれていない場合（ステップＳ７Ａ：ＮＯ）、ＭＰＵ３０は、表示装置１１の閉指示を入力したか否か（クローズキーに相当する操作スイッチ１４Ａが操作されたか否か等）を判定し（ステップＳ９Ａ）、閉指示を入力していない場合（ステップＳ９Ａ：ＮＯ）、ステップＳ７Ａの処理に移行する。従って、ＭＰＵ３０は、カード型装置５が抜かれるか（ステップＳ７Ａ：ＹＥＳ）、表示装置１１の閉指示が入力されるか（ステップＳ９Ａ：ＹＥＳ）のいずれかの条件が満足するまで待機し、装置本体１０とカード型装置５とを電気的に非接続の状態に維持する。このため、この間にカード型装置５が抜かれても、装置本体１０とカード型装置５との電気的接続が強制的に遮断されることがない。
【００３３】
表示装置１１の閉指示を入力した場合（ステップＳ９Ａ：ＹＥＳ）、ＭＰＵ３０は、サブＭＰＵ３４を介してモータドライバ３７によりモータ３８を駆動させて表示装置１１の閉制御を開始する（ステップＳ１０Ａ）。表示装置１１の閉制御を開始した後、ＭＰＵ３０は、カードＩ／Ｆ３１を介してカードスロット３２に装填されているカード型装置５へ電力を供給し、装置本体１０とカード型装置５とのバス接続を復帰させる（ステップＳ１１Ａ）。この場合、ＭＰＵ３０は、ＲＡＭ３０にカード情報を保持しているので、カード型装置５からカード情報の読み出しを新たに行う必要がなく、迅速にバス接続を復帰させ、直ぐにカード型装置５にアクセスすることができる。
【００３４】
本実施形態によれば、カード型装置５が装填されると、カード型装置５の認識／識別処理だけを行い、すぐに装置本体１０とカード型装置５との電気的接続を解除するため、カード型装置５の認識／識別処理の終了後にカード型装置５が抜かれても、装置本体１０とカード型装置５との電気的接続が強制的に遮断されることがない。この場合、カード型装置５の認識／識別処理は短時間で終了するため、ユーザがカード型装置５を挿入後すぐにカード型装置５を抜こうとしても、カード型装置５を抜く前にカード型装置５の認識／識別処理が終了しており、カード型装置５を抜く前に、装置本体１０とカード型装置５との電気的接続が解除される。従って、カード型装置５を抜いた際に、装置本体１０とカード型装置５との電気的接続が遮断される場合を十分に回避することができる。
【００３５】
また、本実施形態では、カード型装置５の認識／識別処理時に取得したカード情報を保持しておき、表示装置１１が閉動作を開始した後に、装置本体１０とカード型装置５とを再び電気的に接続するため、再び電気的に接続するときにカード情報を新たに読み出す必要がなく、その分、カード型装置５に記録されたデータの読み出し等を早く開始することができる。
また、本実施形態では、カード型装置５の認識／識別に失敗すると、表示装置１１の閉動作を禁止するため、認識／識別に失敗したカード型装置５をユーザがすぐに取り出して交換等することができる。
さらに、本実施形態では、表示装置１１が閉動作を開始するまでは、カード型装置５への電力供給を行わないため、カード型装置５が挿入されるとすぐに電力を供給する従来の車載装置に比して、省電力化を図ることができる。
【００３６】
以上、本発明による車載装置の実施形態を説明したが、本発明はこれに限定されるものではなく、種々の変更が可能である。例えば、上述の各実施形態では、カード型装置５が挿入された後、表示装置１１が開動作を開始するとほぼ同時に、装置本体１０とカード型装置５とを電気的に接続する場合について例示したが、要は、表示装置１が開動作を開始した後に装置本体１０とカード型装置５とを電気的に接続すればよく、表示装置１１が閉まった後に、装置本体１０とカード型装置５とを電気的に接続するようにしてもよい。
【図面の簡単な説明】
【００３７】
【図１】本発明の実施の形態に係る車載装置の外観構成を示す斜視図である。
【図２】表示装置の開閉機構の説明に供する図である。
【図３】表示装置が開位置のときの車載装置の外観構成を示す斜視図である。
【図４】車載装置の主要構成を示すブロック図である。
【図５】接続制御処理を示すフローチャートである。
【図６】第２実施形態に係る車載装置の接続制御処理を示すフローチャートである。
【符号の説明】
【００３８】
１  車載装置
５  カード型装置
１０  装置本体（車載装置本体）
１１  表示装置
１４Ａ，１４Ｂ  操作スイッチ
２１  カード挿入口
２３  ディスク挿入口
３０  ＭＰＵ（接続制御手段）
３１  カードＩ／Ｆ
３２  カードスロット
３３  ＲＡＭ
３４  サブＭＰＵ
３５  挿入検出スイッチ
３６  操作部
３７  モータドライバ
３８  モータ
【図１】
2006088738.tif 000003
【図２】
2006088738.tif 000004
【図３】
2006088738.tif 000005
【図４】
2006088738.tif 000006
【図５】
2006088738.tif 000007
【図６】
2006088738.tif 000008